(57)【要約】【課題】モノクロファクシミリ装置であっても、カラーファイル情報を受信し、受信した当該カラーファイル情報を他のカラーファクシミリ装置に対して転送することができるファクシミリ装置の通信制御方法を提供する。【解決手段】受信機が、ＪＰＥＧ符号化情報、色空間Ｌａｂ、ｓＹＣＣでのフルカラー情報の受信機能の有無及び色空間ｓＹＣＣでのフルカラー情報の受信転送機能の有無を通知する。また、送信機が、ＪＰＥＧ符号化情報、色空間Ｌａｂ、ｓＹＣＣでのフルカラー情報の送信を指定する。そして、受信機が、ＪＰＥＧ符号化情報の受信機能の有り、色空間Ｌａｂでのフルカラー情報の受信機能の無し、色空間ｓＹＣＣでのフルカラー情報の受信転送機能の有りを通知した場合、送信機が、色空間ｓＹＣＣでのフルカラー情報を送信し、受信機が、転送先のファクシミリ装置に対して色空間ｓＹＣＣでのフルカラー情報を受信転送する。【選択図】  図１
2004166068.tif 000002
【特許請求の範囲】
【請求項１】
受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
色空間ｓＹＣＣでのフルカラー情報の受信転送機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定する通信制御方法であって、
前記受信機が、ＪＰＥＧ符号化情報の受信機能の有り、色空間Ｌａｂでのフルカラー情報の受信機能の無し、色空間ｓＹＣＣでのフルカラー情報の受信転送機能の有りを前記送信機に通知し、
前記送信機が、前記受信機に対して色空間ｓＹＣＣでのフルカラー情報を送信し、
前記受信機が、転送先のカラーファクシミリ装置に対して色空間ｓＹＣＣでの前記フルカラー情報を受信転送する
ことを特徴とする通信制御方法。
【発明の詳細な説明】
【０００１】
【発明の属する技術分野】
本発明は、ファクシミリ装置における通信制御、特に、カラーファイル情報を受信可能なファクシミリ装置における通信制御に関する。
【０００２】
【従来の技術】
従来のファクシミリ装置は、モノクロ通信を実行するファクシミリ装置が主流であった。しかしながら、最近は、インクジェットプリンタ、デジタルカメラ及びパーソナルコンピュータ等の普及に伴い、カラー情報の取り扱いが急増してきた。このような状況で、カラー通信のニーズも急速に高まってきた。
【０００３】
ここで、現在のＩＴＵ−Ｔの勧告について説明する。カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信が実行されている。これらのカラーファクシミリ通信は、送信機及び受信機共にスタンドアローンのファクシミリ装置で実行されていた。
【０００４】
従来から、送信されるカラーファクシミリ情報の色空間としてＬａｂが使用されているが、例えば、デジタルカメラで撮影したカラー情報の色空間はｓＹＣＣであってＬａｂではない。また、パーソナルコンピュータにおいてカラー情報を表示する場合の色空間もｓＹＣＣであってＬａｂではない。そこで、近年、このような状況から色空間ｓＹＣＣでのカラー通信のニーズが高まっている。
【０００５】
【発明が解決しようとする課題】
しかしながら、モノクロファクシミリ装置に、カラー受信もカラープリントも行う機能を付加すると装置が高価になるという欠点があった。そこで、モノクロファクシミリ装置を主として使用するユーザは、例えば、カラー情報として色空間ｓＹＣＣのみをサポートしたファクシミリ装置の出現を期待していた。また、ビジネス用のファクシミリ装置は大容量のメモリを有しているので、モノクロファクシミリ装置であっても、当該装置で受信しておき、カラーファイル情報を受信／プリント等が可能な装置に転送したいというニーズがある。
【０００６】
このようなシステムでは、受信機から送信機に色空間がｓＹＣＣであるフルカラー情報の受信転送機能の有無を通知することにより、受信機がモノクロファクシミリ装置であっても、カラーファイル情報を受信転送することができる旨を送信機に通知することができ、ファクシミリ装置の有効利用が可能となる。
【０００７】
本発明は、このような事情を考慮してなされたものであり、モノクロファクシミリ装置であっても、カラーファイル情報を受信し、受信した当該カラーファイル情報を他のカラーファクシミリ装置に対して転送することができ、またその旨を送信機に対して事前に通知することにより好適なファクシミリ通信を実行することができるファクシミリ装置の通信制御方法を提供することを目的とする。
【０００８】
【課題を解決するための手段】
上記課題を解決するために、本発明に係る通信制御方法は、受信機から送信機に対して、ＪＰＥＧ符号化情報の受信機能の有無を通知し、色空間Ｌａｂでのフルカラー情報の受信機能の有無を通知し、色空間ｓＹＣＣでのフルカラー情報の受信機能の有無を通知し、色空間ｓＹＣＣでのフルカラー情報の受信転送機能の有無を通知し、前記送信機から前記受信機に対して、ＪＰＥＧ符号化情報の送信を指定し、色空間Ｌａｂでのフルカラー情報の送信を指定し、色空間ｓＹＣＣでのフルカラー情報の送信を指定する通信制御方法であって、前記受信機が、ＪＰＥＧ符号化情報の受信機能の有り、色空間Ｌａｂでのフルカラー情報の受信機能の無し、色空間ｓＹＣＣでのフルカラー情報の受信転送機能の有りを前記送信機に通知し、前記送信機が、前記受信機に対して色空間ｓＹＣＣでのフルカラー情報を送信し、前記受信機が、転送先のカラーファクシミリ装置に対して色空間ｓＹＣＣでの前記フルカラー情報を受信転送することを特徴とする。
【０００９】
【発明の実施の形態】
以下、図面を参照して、本発明の一実施形態に係る通信制御を行うファクシミリ装置の詳細について説明する。
【００１０】
＜第１の実施形態＞
図１は、本発明の第１の実施形態に係るファクシミリ装置の構成を示すブロック図である。図１において、２６は、バスである。また、２は、ＮＣＵ（網制御装置）である。さらに、４は、電話機である。
【００１１】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１２】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１３】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ  Ｔｏｎｅ  Ｍｕｌｔｉ  Ｆｒｅｑｕｅｎｃｙ）の選択信号を出力する。
【００１４】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１５】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１６】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１７】
２８は、カードインタフェースである。また、３０は、例えば、カードインタフェースに接続（挿入）されるコンパクトフラッシュ（登録商標）カード等の受信情報を記憶するためのカードである。尚、カード３０の代わりにディスク等のその他の可搬記録媒体を使用するようにしてもよい。
【００１８】
図２は、本発明の第１の実施形態において用いられる新規にＩＴＵ−Ｔ勧告Ｔ．３０に追加するプロトコルを示す図である。図２に示すように、ＤＩＳ／ＤＴＣ信号のＦＩＦのビット４９により、サブアドレス信号の受信機能の有無を通知し、ＤＣＳ信号のＦＩＦのビット４９により、サブアドレス信号の送信を指定をする。
【００１９】
また、ＤＩＳ／ＤＴＣ信号のＦＩＦのビット６８により、ＪＰＥＧ受信機能の有無を通知し、ＤＣＳ信号のＦＩＦのビット６８により、ＪＰＥＧ送信を指定をする。
【００２０】
さらに、ＤＩＳ／ＤＴＣ信号のＦＩＦのビット６９により、色空間がＬａｂであるフルカラー受信機能の有無を通知し、ＤＣＳ信号のＦＩＦのビット６９により、色空間がＬａｂであるフルカラー送信を指定をする。
【００２１】
さらにまた、ＤＩＳ／ＤＴＣ信号のＦＩＦのビットＸにより、色空間がｓＹＣＣであるフルカラー受信機能の有無を通知し、ＤＣＳ信号のＦＩＦのビットＸにより、色空間がｓＹＣＣであるフルカラー送信を指定をする。
【００２２】
さらにまた、ＤＩＳ／ＤＴＣ信号のＦＩＦのビットＸ＋１により、色空間がｓＹＣＣであるフルカラー受信転送機能の有無を通知し、ＤＣＳ信号のＦＩＦのビットＸ＋１により、色空間がｓＹＣＣであるフルカラー送信転送を指定をする。
【００２３】
一方、図１において、２４は、制御プログラムを格納するためのＲＯＭである。このＲＯＭ２４には、カラーファイル情報を通信可能なファクシミリ装置おいて、受信機から送信機に対して、ＪＰＥＧ符号化情報の受信機能の有無を通知する手順、色空間がＬａｂであるフルカラー情報の受信機能の有無を通知する手順、色空間がｓＹＣＣであるフルカラー情報の受信機能の有無を通知する手順、色空間がｓＹＣＣであるフルカラー情報の受信転送機能の有無を通知する手順と、送信機から受信機に対して、ＪＰＥＧ符号化情報の送信を指定する手順、色空間がＬａｂであるフルカラー情報の送信を指定する手順、色空間がｓＹＣＣであるフルカラー情報の送信を指定する手順を実行し、受信機から送信機に対して、ＪＰＥＧ符号化情報の受信機能の有り、色空間がＬａｂであるフルカラー情報の受信機能の無し、色空間がｓＹＣＣであるフルカラー情報の受信転送機能の有りの通知を実行する制御プログラムが格納されている。
【００２４】
また、本実施形態における受信機はカード、ディスク等の可搬記録媒体の着脱が可能であり、ＲＯＭ２４に格納された上記制御プログラムによれば、例えば、カード等が装着されている場合は色空間がｓＹＣＣであるフルカラー情報の受信機能の有りを通知し、カード等が装着されていない場合は色空間がｓＹＣＣであるフルカラー情報の受信機能の無しを通知することも可能である。
【００２５】
さらに、上記制御プログラムによれば、送信機により色空間ｓＹＣＣでのＪＰＥＧ通信が指定された時に、受信機側では、転送が指定されると受信情報をメモリに格納し、次宛先へ発呼して、相手機がＪＰＥＧ符号化情報の受信機能の有りで、かつ、色空間がｓＹＣＣであるフルカラー情報の受信機能の有りである場合、受信した色空間ｓＹＣＣでのＪＰＥＧ情報を送信し、送信終了後、メモリ受信した情報を消去することも可能である。
【００２６】
さらにまた、上記制御プログラムによれば、送信機により色空間ｓＹＣＣでのＪＰＥＧ通信が指定された時に、受信機側では、転送が指定されると受信情報をメモリに格納し、次宛先へ発呼し、相手機がＪＰＥＧ符号化情報の受信機能が無い、或いは、色空間がｓＹＣＣであるフルカラー情報の受信機能が無い場合、転送の通信を中断することも可能である。
【００２７】
さらにまた、上記制御プログラムによれば、色空間ｓＹＣＣでのＪＰＥＧ通信が指定された時に、転送が指定されないと受信情報はカード等の可搬記録媒体にアップロードすることも可能である。
【００２８】
図３〜６は、本発明の第１の実施形態に係るファクシミリ装置における通信制御の流れを説明するためのフローチャートである。
【００２９】
まず、図３に示すように、バス２６を介して、メモリ１８をイニシャライズ（初期化）する（ステップＳ２）。次に、バス２６を介して、操作部２０の表示部をクリアする（ステップＳ４）。さらに、バス２６を介してＮＣＵ２のＣＭＬをオフにする（ステップＳ６）。
【００３０】
次に、ファクシミリ受信が選択されたか否かが判断される（ステップＳ８）。その結果、ファクシミリ受信が選択された場合（ＹＥＳ）、ステップＳ１２に進み、ファクシミリ受信が選択されていない場合（ＮＯ）、その他の処理をする（ステップＳ１０）。尚、ステップＳ１０の処理後は、ステップＳ６に戻る。
【００３１】
ステップＳ１２では、バス２６を介して、ＮＣＵ２のＣＭＬをオンにする。そして、カードインタフェース２８に例えばコンパクトフラッシュ（登録商標）カードのような記憶用のカード３０がセットされているか否かが判断される（ステップＳ１４）。その結果、カード３０がある場合（ＹＥＳ）はステップＳ１６の前手順に進み、カード３０がない場合（ＮＯ）はステップＳ１８に進む。ステップＳ１６の前手順では、ＤＩＳ信号のＦＩＦのビット４９、６８、Ｘ、Ｘ＋１を１とし、ビット６９を０にする処理が行われる。
【００３２】
従って、カード等の可搬記録媒体の受信機への接続（装着）の有無により、色空間がｓＹＣＣであるフルカラー情報の受信機能の有無を送信機に対して通知することができるので、カード等の可搬記録媒体の接続がない場合は色空間がｓＹＣＣであるフルカラー情報のメモリ受信をすることがないので、フルカラー情報の受信による受信機固有のメモリのオーバーフローを起こすことがないという効果がある。
【００３３】
一方、図４に示すように、ステップＳ１８では、ＤＣＳ信号のＦＩＦのビット６８及びビットＸが１であるか否かが判断される。その結果、双方とも１である場合（ＹＥＳ）、色空間ｓＹＣＣのＪＰＥＧカラー情報を受信し、それをカード３０にアップロードする（ステップＳ２０）。次いで、後手順が行われ（ステップＳ２２）、ステップＳ６に戻る。
【００３４】
一方、ステップＳ１８でビット６８かビットＸの少なくとも一方が１でないと判断された場合（ＮＯ）、ＤＣＳ信号のＦＩＦのビット６８及びビットＸ＋１が１であるか否かが判断される（ステップＳ２４）。その結果、双方とも１であると判断された場合（ＹＥＳ）はステップＳ３０に進み、少なくともどちらか一方が１でないと判断された場合（ＮＯ）はステップＳ２６に進む。ステップＳ２６では、モノクロファクシミリ画情報の受信／記録が行われる。そして、後手順が行われ（ステップＳ２８）、ステップＳ６に戻る。
【００３５】
一方、ステップＳ３０では、サブアドレス信号を受信したか否かが判断される。その結果、受信したと判断された場合（ＹＥＳ）は、色空間ｓＹＣＣのＪＰＥＧカラー情報をメモリ受信し（ステップＳ３２）、次いで後手順が行われ（ステップＳ３４）、バス２６を介してＮＣＵ２のＣＭＬをオフにし（ステップＳ３６）、ステップＳ３８に進む。一方、ステップＳ３０でサブアドレス信号を受信したと判断されなかった場合（ＮＯ）はステップＳ６に戻る。
【００３６】
図５に示すように、ステップＳ３８では、ステップＳ３６でＣＭＬをオフにした後、３０秒間ウェイトする。尚、ウェイトする時間は本実施形態では３０秒としたが、このウェイト時間は３０秒に限られないものとする。その後、バス２６を介して、ＮＣＵ２のＣＭＬをオンにする（ステップＳ４０）。そして、発呼回路１０により、サブアドレス信号により指定された転送宛先へ発呼する（ステップＳ４２）。その後、後手順が行われる（ステップＳ４４）。
【００３７】
さらに、ＤＩＳ信号のＦＩＦのビット６８及びビットＸが１であるか否かが判断される（ステップＳ４６）。その結果、双方とも１であると判断された場合（ＹＥＳ）、メモリ受信した色空間ｓＹＣＣのＪＰＥＧデータを送信し、送信終了後、メモリ受信した色空間ｓＹＣＣのＪＰＥＧデータをメモリから消去する（ステップＳ４８）。そして、後手順が行われ（ステップＳ５０）、ステップＳ６に戻る。
【００３８】
一方、ステップＳ４６でビット６８又はビットＸの少なくともどちらか一方が１でないと判断された場合（ＮＯ）、メモリ受信した色空間ｓＹＣＣのＪＰＥＧデータをメモリから消去する（ステップＳ４７）。その後、ステップＳ６に戻る。従って、色空間ｓＹＣＣでのＪＰＥＧ通信が指定された時に、転送が指定された場合に、転送先の情報の受信機能の有無により、転送先に色空間ｓＹＣＣでのＪＰＥＧ情報を送信した後、又は、転送先に色空間ｓＹＣＣでのＪＰＥＧ通信ができないときは直ちに、メモリ等に格納した情報を消去することができ、メモリ等の有効利用が可能になる。
【００３９】
また、図３に示すステップＳ１４で、カードインタフェース２８に例えばコンパクトフラッシュ（登録商標）カードのような記憶用のカード３０がセットされていないと判断された場合（ＮＯ）は、図４に示す前手順が行われる（ステップＳ５２）。この前手順では、ＤＩＳ信号のＦＩＦのビット４９、６８、Ｘ＋１を１とし、ビット６９、Ｘを０とする処理が行われる。そして、図４に示すステップＳ２４に進む。
【００４０】
従って、本実施形態によれば、受信機がモノクロファクシミリ装置であっても、カラーファイル情報を受信し、受信した当該カラーファイル情報をそのまま他のカラーファクシミリ装置に対して転送することができ、またその旨を送信機に対して事前に通知することができるので、ファクシミリ装置をより有効に利用することが可能である。
【００４１】
＜第２の実施形態＞
上述した第１の実施形態において、受信機側がカード３０を具備する手段（カードインタフェース２８）を有さずに、送信機に対して色空間がｓＹＣＣであるフルカラー情報の受信機能の無しを通知するようにしてもよい。
【００４２】
図７は、本発明の第２の実施形態に係るファクシミリ装置における通信制御の流れにおいて第１の実施形態と異なる部分の流れを説明するためのフローチャートである。図７に示すように、ステップＳ６０は図３のステップＳ１２を、ステップＳ６２は図６のステップＳ５２を表す。すなわち、ステップＳ１２でＣＭＬをオンにした後、ステップＳ５２の前手順が行われ、ステップＳ２４に進む実施形態となる。
【００４３】
従って、実施形態によれば、色空間ｓＹＣＣでのＪＰＥＧ通信が指定された時に、転送が指定されない場合に、受信した情報をすぐにカード等の可搬記録媒体にアップロードする、又は、当該情報の受信を拒否するので、受信機本体のメモリ等の有効利用が可能になる。
【００４４】
＜その他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００４５】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４６】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４７】
本発明を上記記録媒体に適用する場合、その記録媒体には、先に説明したフローチャートに対応するプログラムコードが格納されることになる。
【００４８】
本発明の実施態様の例を以下に列挙する。
【００４９】
【実施態様１】受信機から送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
色空間ｓＹＣＣでのフルカラー情報の受信転送機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定する通信制御方法であって、
前記受信機が、ＪＰＥＧ符号化情報の受信機能の有り、色空間Ｌａｂでのフルカラー情報の受信機能の無し、色空間ｓＹＣＣでのフルカラー情報の受信転送機能の有りを前記送信機に通知し、
前記送信機が、前記受信機に対して色空間ｓＹＣＣでのフルカラー情報を送信し、
前記受信機が、転送先のカラーファクシミリ装置に対して色空間ｓＹＣＣでの前記フルカラー情報を受信転送する
ことを特徴とする通信制御方法。
【００５０】
【実施態様２】前記受信機が、フルカラー情報を格納する可搬記録媒体に接続可能であって、
前記受信機が、前記可搬記録媒体を接続している場合、色空間ｓＹＣＣでのフルカラー情報の受信機能の有りを前記送信機に対して通知し、
前記受信機が、前記可搬記録媒体を接続していない場合、色空間ｓＹＣＣでのフルカラー情報の受信機能の無しを前記送信機に対して通知する
ことを特徴とする実施態様１記載の通信制御方法。
【００５１】
【実施態様３】前記受信機が、色空間ｓＹＣＣでのＪＰＥＧ情報を記憶可能な記憶手段をさらに備え、
前記送信機が色空間ｓＹＣＣでのＪＰＥＧ情報の送信を指定した場合、前記受信機は、
前記送信機から受信した前記ＪＰＥＧ情報を前記記憶手段に格納し、
転送先の前記カラーファクシミリ装置へ発呼し、
該カラーファクシミリ装置が、ＪＰＥＧ符号化情報の受信機能の有りの場合であって、かつ、色空間ｓＹＣＣでのフルカラー情報の受信機能の有りの場合、前記記憶手段に格納した色空間ｓＹＣＣでの前記ＪＰＥＧ情報を前記カラーファクシミリ装置に送信し、
送信終了後、前記記憶手段に格納した前記ＪＰＥＧ情報を消去する
ことを特徴とする実施態様１又は２に記載の通信制御方法。
【００５２】
【実施態様４】前記送信機が色空間ｓＹＣＣでのＪＰＥＧ情報の送信を指定した場合、前記受信機は、
受信した前記ＪＰＥＧ情報を前記記憶手段に格納し、
転送先の前記カラーファクシミリ装置へ発呼し、
該カラーファクシミリ装置が、ＪＰＥＧ符号化情報の受信機能が無い、又は、色空間ｓＹＣＣでのフルカラー情報の受信機能が無い場合、前記記憶手段に格納したＪＰＥＧ情報を転送することなく消去する
ことを特徴とする実施態様３記載の通信制御方法。
【００５３】
【実施態様５】色空間ｓＹＣＣでのＪＰＥＧ情報の通信が指定された場合であって、該ＪＰＥＧ情報の転送が指定されない場合、前記受信機は、受信した前記ＪＰＥＧ情報を前記可搬記憶媒体にアップロードすることを特徴とする実施態様２記載の通信制御方法。
【００５４】
【実施態様６】前記受信機が、受信情報を格納可能な可搬記憶媒体を接続する手段を備えない場合、色空間ｓＹＣＣでのフルカラー情報の受信機能の無しを前記送信機に通知することを特徴とする実施態様１から５までのいずれか１つに記載の通信制御方法。
【００５５】
【実施態様７】受信機と送信機とを備える通信制御システムであって、
前記受信機が、前記送信機に対して、
ＪＰＥＧ符号化情報の受信機能の有無を通知する手段と、
色空間Ｌａｂでのフルカラー情報の受信機能の有無を通知する手段と、
色空間ｓＹＣＣでのフルカラー情報の受信機能の有無を通知する手段と、
色空間ｓＹＣＣでのフルカラー情報の受信転送機能の有無を通知する手段とを備え、
前記送信機が、前記受信機に対して、
ＪＰＥＧ符号化情報の送信を指定する手段と、
色空間Ｌａｂでのフルカラー情報の送信を指定する手段と、
色空間ｓＹＣＣでのフルカラー情報の送信を指定する手段とを備え、
前記受信機が、ＪＰＥＧ符号化情報の受信機能の有り、色空間Ｌａｂでのフルカラー情報の受信機能の無し、色空間ｓＹＣＣでのフルカラー情報の受信転送機能の有りを前記送信機に通知した場合、
前記送信機が、前記受信機に対して色空間ｓＹＣＣでのフルカラー情報を送信し、
前記受信機が、転送先のカラーファクシミリ装置に対して色空間ｓＹＣＣでの前記フルカラー情報を受信転送する
ことを特徴とする通信制御システム。
【００５６】
【実施態様８】前記受信機が、フルカラー情報を格納する可搬記録媒体に接続可能であって、
前記受信機が、前記可搬記録媒体を接続している場合、色空間ｓＹＣＣでのフルカラー情報の受信機能の有りを前記送信機に対して通知する手段と、
前記受信機が、前記可搬記録媒体を接続していない場合、色空間ｓＹＣＣでのフルカラー情報の受信機能の無しを前記送信機に対して通知する手段と
をさらに備えることを特徴とする実施態様７記載の通信制御システム。
【００５７】
【実施態様９】前記受信機が、色空間ｓＹＣＣでのＪＰＥＧ情報を記憶可能な記憶手段と、
前記送信機が色空間ｓＹＣＣでのＪＰＥＧ情報の送信を指定した場合、前記送信機から受信した前記ＪＰＥＧ情報を前記記憶手段に格納する手段と、
転送先の前記カラーファクシミリ装置へ発呼する手段と、
該カラーファクシミリ装置が、ＪＰＥＧ符号化情報の受信機能の有りの場合であって、かつ、色空間ｓＹＣＣでのフルカラー情報の受信機能の有りの場合、前記記憶手段に格納した色空間ｓＹＣＣでの前記ＪＰＥＧ情報を前記カラーファクシミリ装置に送信する手段と、
送信終了後、前記記憶手段に格納した前記ＪＰＥＧ情報を消去する手段と
をさらに備えることを特徴とする実施態様７又は８に記載の通信制御システム。
【００５８】
【実施態様１０】前記受信機が、
前記送信機が色空間ｓＹＣＣでのＪＰＥＧ情報の送信を指定した場合、受信した前記ＪＰＥＧ情報を前記記憶手段に格納する手段と、
転送先の前記カラーファクシミリ装置へ発呼する手段と、
該カラーファクシミリ装置が、ＪＰＥＧ符号化情報の受信機能が無い、又は、色空間ｓＹＣＣでのフルカラー情報の受信機能が無い場合、前記記憶手段に格納したＪＰＥＧ情報を転送することなく消去する手段と
をさらに備えることを特徴とする実施態様９記載の通信制御システム。
【００５９】
【実施態様１１】色空間ｓＹＣＣでのＪＰＥＧ情報の通信が指定された場合であって、該ＪＰＥＧ情報の転送が指定されない場合、前記受信機は、受信した前記ＪＰＥＧ情報を前記可搬記憶媒体にアップロードする手段をさらに備えることを特徴とする実施態様８記載の通信制御システム。
【００６０】
【実施態様１２】前記受信機が、受信情報を格納可能な可搬記憶媒体を接続する手段を備えない場合、色空間ｓＹＣＣでのフルカラー情報の受信機能の無しを前記送信機に通知する手段をさらに備えることを特徴とする実施態様７から１１までのいずれか１つに記載の通信制御システム。
【００６１】
【発明の効果】
以上説明したように、本発明によれば、モノクロファクシミリ装置であっても、カラーファイル情報を受信し、受信した当該カラーファイル情報を他のカラーファクシミリ装置に対して転送することができ、またその旨を送信機に対して事前に通知することにより好適なファクシミリ通信を実行することができる。
【図面の簡単な説明】
【図１】本発明の第１の実施形態に係るファクシミリ装置の構成を示すブロック図である。
【図２】本発明の第１の実施形態において用いられる新規にＩＴＵ−Ｔ勧告Ｔ．３０に追加するプロトコルを示す図である。
【図３】本発明の第１の実施形態に係るファクシミリ装置における通信制御の流れを説明するためのフローチャートである。
【図４】本発明の第１の実施形態に係るファクシミリ装置における通信制御の流れを説明するためのフローチャートである。
【図５】本発明の第１の実施形態に係るファクシミリ装置における通信制御の流れを説明するためのフローチャートである。
【図６】本発明の第１の実施形態に係るファクシミリ装置における通信制御の流れを説明するためのフローチャートである。
【図７】本発明の第２の実施形態に係るファクシミリ装置における通信制御の流れにおいて第１の実施形態と異なる部分の流れを説明するためのフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインタフェース
３０  カード
【図１】
2004166068.tif 000003
【図２】
2004166068.tif 000004
【図３】
2004166068.tif 000005
【図４】
2004166068.tif 000006
【図５】
2004166068.tif 000007
【図６】
2004166068.tif 000008
【図７】
2004166068.tif 000009